(57)【要約】  本発明は、シリンドリカル状のバーから形成されている一体部品の形態をしたガイドホルダ（２）に関する。ガイドホルダ（２）は、２つの部分、すなわち脚部（５）を形成しているブランチを有している、平坦部の形態をしたＬ字状部分と、ガイドホルダ（２）とガイドとの間で調整可能な連結システムを滑動させることができる、シリンドリカル状部分すなわちロッド（４）とを備えている。
2010534173.tif 000002
【特許請求の範囲】
【請求項１】
バヨネットの形態をした単一の一体部品から構成されているコンベアのためのガイドホルダにおいて、
前記ガイドホルダが、シリンドリカル状のバーから形成されており、
前記ガイドホルダが、相違する断面を有している２つの部品、すなわち上側部分と逆Ｌ字状部分とを備えており、
前記上側部分が、シリンドリカル状のロッド（４）の形態とされ、ガイドと協働する付加的な手段を高さ方向及び回転方向において組み付け及び調整可能であり、
前記逆Ｌ字状部分が、少なくとも１つの略平面を有しており、より好ましくは平坦部の形態で配置されており、
前記逆Ｌ字状部分が、一方のブランチと他方のブランチとを備えており、
前記一方のブランチが、シリンドリカル状の前記ロッドに対して平行に配置されており、脚部（５）を形成すると共に、前記コンベアの構造体に直接固定されており、
前記他方のブランチが、例えば有用な運搬面の外側に前記ガイド（３）を位置決めするための空間を形成するように、前記ロッド（４）を横方向にオフセットさせる屈曲部（６）を備えていることを特徴とするガイドホルダ。
【請求項２】
前記ガイドホルダが、直径１６ｍｍのステンレス鋼の丸棒から作られたシリンドリカル状の部品を利用して、熱間成形工程によって形成されていることを特徴とする請求項１に記載のガイドホルダ。
【請求項３】
前記ガイドホルダが、前記屈曲部（６）と前記ロッド（４）との間に配設された結合領域において、参照用として機能する少なくとも１つのマーキングを備えており、
前記マーキングが、対称に配置されている平坦部（１５）から構成され、
前記平坦部が、例えば前記ロッド（４）の上端部から所定距離で離隔して配置されていることを特徴とする請求項１又は２に記載のガイドホルダ。
【請求項４】
前記ガイドホルダが、角度許容値を有した状態で平行に配置されている前記脚部（５）及び前記ロッド（４）を備えており、
これにより、前記ロッドを前記コンベアの外部に向かって僅かに傾斜させることができることを特徴とする請求項１〜３のいずれか一項に記載のガイドホルダ。
【請求項５】
前記ガイド（３）が設けられている連結システムが、熱可塑性材料から作られていると共にスペーサとしても機能する一体部品から構成されており、
前記一体部品が、前記ロッド（４）において滑動可能であると共に開断面を有しているスリーブ（１９）と、前記ガイドに固定されているラグ（１８）とを備えていることを特徴とする請求項１〜４のいずれか一項に記載のガイドホルダ。
【請求項６】
前記スペーサ（１７）が、前記ガイド（３）、特に前記ガイドを備えているレール（１１）のリブ（１３）と協働するために、カップ（２１）の形態をした表面を有していることを特徴とする請求項５に記載のガイドホルダ。
【発明の詳細な説明】
【技術分野】
【０００１】
本発明は、コンベアに位置決めされているガイドホルダ、特にコンベアの構造体に固定されているガイドホルダの改善に関する。
【背景技術】
【０００２】
運搬設備においては、ガイド及びガイドホルダが該運搬設備の大部分に相当する。これらガイド及びガイドホルダは、運搬設備の両側にコンベア又はコンベアテーブルに沿って位置決めされている多数の部品である。
【０００３】
当該運搬設備全体の組立時間は、比較的長く、とりわけ当該運転設備を高精度で組み立てること、及びガイドの位置を調整することに占められている。これにより運搬設備は、自身の機能を発揮させることができる。その機能とは、すなわちコンベアによって循環される製品、例えばボトルに不具合を発生させず運転することである。
【０００４】
特許文献１及び特許文献２は、高さ方向及び横方向においてガイドを調整可能なガイドホルダを開示している。しかしながら、この調整能力は、幾つかの部品から構成されているホルダに基づくものである。
【０００５】
特許文献１に開示されているホルダは、自身の一方のブランチがコンベアの構造体に固定されていると共に、直角なアングルの形態をした第１の部分と、第３の部分によって第１の部分の他方のブランチに固定されていると共に、垂直方向に延在しているロッドの形態をした第２の部分と、を備えており、この固定は、バネの形態をした第４の部分を介装することによって実現されている。
【０００６】
特許文献２に開示されているホルダは、コンベアの構造体に固定されている第１の部分と、ネジから構成された第３の部分によって第１の部分に固定された、バヨネットの形態に形成されたシリンドリカル状（cylindrical）のロッドから構成されている第２の部分と、を備えている。
【０００７】
多数の部品から構成されているこれらホルダは、比較的高価であり、コンベアの構造体に組み付けられている間、多くのメンテナンスを必要とする。
【０００８】
特許文献３は、バヨネットの形態に形成された単一の平坦な部品から構成されているホルダであって、バヨネットの脚部がコンベアの構造体に直接固定されているホルダを開示している。
【０００９】
このホルダは、その形態が比較的単純であり、低コストであるが、ガイドの調整範囲が広くない。
【先行技術文献】
【特許文献】
【００１０】
【特許文献１】米国特許第３７７６３５０号明細書
【特許文献２】仏国特許第２２０３７５８号明細書
【特許文献３】独国特許第３２０４１１４号明細書
【特許文献４】仏国特許第２８８２７３８号明細書
【発明の概要】
【発明が解決しようとする課題】
【００１１】
本発明は、ホルダとガイドとの間に配置された中間部品を高さ方向及び回転方向において調整可能である点について、単純且つ汎用性が高いホルダを提案するものである。このホルダは、コンベア装置にガイドを組み付ける際のあらゆる状況に対して容易に適応可能であり且つ適合している。すなわち、このホルダは、輸送量等に偏差を発生させるために、湾曲したガイドやアーチ状のガイドに組み付けることができる。
【００１２】
幾つかの実施例では、コンベアのガイドが、ホルダからかなり離れて配置されており、オーバーハングした状態にある。このような制約によって、耐性、特にストレス耐性が高いホルダを利用せざるを得なくなっている。
【００１３】
特許文献１及び特許文献２に開示されているホルダは、実質的にオーバーハングした状態を許容可能な程度に十分な剛性を有しておらず、ガイドの位置決めを許容可能な精度を有していない。
【課題を解決するための手段】
【００１４】
本発明におけるホルダは、バヨネットの形態をした単一の一体部品から構成されており、熱間成形工程によってシリンドリカル状のバーから形成されている。当該ホルダは、相違する断面を有している２つの部品を備えている。第１の部品とは、ガイドと協働する付加的な手段の組み付け及び調整が可能なシリンドリカル状の上側部分、すなわちロッドである。第２の部品とは、少なくとも１つの略平面を有している逆Ｌ字状部分、より好ましくは平坦部の形態で配置されている逆Ｌ字状部分である。この逆Ｌ字状部分は、一方のブランチと他方のブランチとを備えている。一方のブランチは、脚部が形成されていると共にコンベアの構造体に直接固定されている、シリンドリカル状のロッドに対して平行に配置されている。他方のブランチは、例えば有用な運搬面の外側にガイドを位置決めするための空間を形成するように、ロッドを横方向にオフセットする屈曲部を備えている。
【００１５】
本発明におけるホルダは、製造時にすぐに取付可能であること、及びコンベアを備えている要素に組み付け可能であることを利点として有している。すなわち、特許文献４に開示されているコンベアの場合のように、該ホルダは、コンベアのフレームの構造部材に直接組み付け可能とされる。
【００１６】
このホルダは、実際に汎用的であり、コンベアの構造体に配設された単純な固定システムを興味深い調整能力と調和させることができる。
【００１７】
本発明の好ましい配置では、ホルダは、図示する直径１６ｍｍのステンレス鋼の丸棒から作られたシリンドリカル状の部品から形成されている。
【００１８】
さらに本発明では、平坦部とシリンドリカル状のロッドとの結合領域が、参照用としても利用可能な少なくとも１つのマーキングを備えている。マーキングは、対称に配置されている例えば平坦部の形態をしている。平坦部は、ホルダの２つの部品の間の結合領域に配置されている。平坦部は、ガイドの取付の際にシリンドリカル状のロッドとガイドとの間に挿置されている連結手段の位置を高精度で調整することができるように、シリンドリカル状部分の上端部から所定距離で離隔して配置されている。このような調整は、例えば連結手段と平坦部分との間に挿置されている楔によって実施される。
【００１９】
本発明の他の配置では、ホルダの脚部及びシリンドリカル状のロッドが、角度許容値を有した状態で平行に配置されている。これにより、シリンドリカル状のロッドをコンベアの外部に向かって僅かに傾斜させることが可能になる。すなわち、脚部とシリンドリカル状のロッドとが成す角度が、許容範囲内に維持される一方、上側部分をロッドから脚部に対して相対的に離隔させることができる。このような傾斜によって、ガイドのオーバーハングに起因するホルダの変形を吸収することができる。
【００２０】
さらに本発明では、特にホルダとガイドとの距離が一定である場合には、ホルダとガイドとの間に配設されている付加的な連結手段が、熱可塑性材料から作られていると共にスペーサとしても機能する一体部品から構成されている。一体部品は、ホルダのロッド上で滑動可能であると共に開断面を有しているスリーブと、スリーブに固定されているアームの端部に直角に配置されているラグと、を備えている。ラグは、ガイド上に固定されるように配置されている。
【００２１】
本発明の他の配置では、スペーサは、ガイド、特にガイドを備えたレールの裏側に突出して配置されているリブと協働するために、カップ状の表面を有しているラグを備えている。
【００２２】
しかしながら、本発明については、以下の発明の詳細な説明と参照のための図面とを利用して、さらに詳細に説明する。
【図面の簡単な説明】
【００２３】
【図１】本発明におけるホルダを備えていると共にコンベアの構造体に取り付けられているガイド装置の立面図である。
【図２】ホルダとガイドとを連結する手段を備えている本発明におけるホルダの部分的な斜視図である。しかしながら、ガイドは本図には図示されていない。
【図３】ホルダの２つ部分の間に配置されている平坦部の形態をした装置の詳細図である。
【図４】ガイドが横方向の位置に固定されているコンベアのための、ホルダとガイドとの間に配設されている付加的な連結手段の代替的な実施例である。
【図５】スペーサとしても機能し且つホルダとガイドとを連結する、図４に表わす付加的な部分の斜視図である。
【発明を実施するための形態】
【００２４】
図１は、コンベア等の構造体１の側方に取り付けられているガイド装置を表わす。
【００２５】
このガイド装置は、
正確に言えば、特許文献４に表わされるように、構造体１を組み立てる際に利用可能な適切な手段によって構造体１に固定されているホルダ２として機能する部分と、
正確に言えば、ガイド３と、
ホルダ２とガイド３との間に配設されている連結手段であって、状況に応じて調整可能又は固定式とされ且つスペーサとして機能する連結手段と、
を備えている。
【００２６】
ホルダ２は、適切な材質な金属、より好ましくはステンレス鋼材料から作られた単一の一体部品から構成されている。
【００２７】
ホルダ２は、円柱状又は円筒状の棒材から形成されている。より好ましくは、ホルダ２は、棒材を引き抜き穴で引き抜く（cut）ことによって、直径１６ｍｍのステンレス鋼材料から作られている。
【００２８】
ホルダは、断面が相違する２つの別個の部分を備えたバヨネットの態様を有している。２つの別個の部分とは、シリンドリカル状の形状を保持している上側部分、すなわち以下の記載におけるロッド４と、少なくとも１つの略平面を有している直角アングルの形態又は逆Ｌ字状の形態をした下側部分と、である。この逆Ｌ字状の形態は、略矩形状の断面を有した平坦部のようになっており、コンベアの構造体１に直接固定されている脚部５と、脚部５とロッド４とを連結している屈曲部６とを備えている。
【００２９】
屈曲部６は、一方の側部において脚部５と鈍角を形成し、他方の側部においてロッド４と鈍角を形成している。
【００３０】
屈曲部６は、ロッド４を脚部５に対してオフセットさせること、及び、ガイド３を収容するに十分な空間を確保することが可能な長さに形成されている。従って、多くの場合において、屈曲部はコンベアに干渉しない。
【００３１】
非常に高い精度でガイド３を位置決めするために、ホルダ２のロッド４及び脚部５が互いに対して平行に設けられている。しかしながら、角度の許容値は、ロッド４がコンベアの外側部分に向かって僅かに傾斜していることを考慮した角度で許容可能とされる。このことは、ガイド３が実質的にオーバーハングした状態でホルダ２から比較的遠くに離れている場合に、ホルダ２の屈曲を補償するという利点を有している。
【００３２】
ホルダ２は、単純捩りをして、これにより屈曲部６の端部における角度（ｓ）を改善することによって、必要に応じて現場でロッド４の位置を調整可能な材料から作られている。
【００３３】
ホルダ２は、特許文献４にて詳述されているように、コンベアの構造体１に、例えば構造体１の組み立て部材に直接固定されている。コンベアの組立後及び組立中に、ホルダ２が据え付けられている。そして、ホルダ２がコンベアと共に搬送される。
【００３４】
ガイド３は、連結手段によって支持されている。図１及び図２に表わす第１の実施例では、該連結手段は、例えばシリンドリカル状のバー７と、ホルダ２のロッド４で滑動するワーブ８（wharve）とから構成されている。該ワーブは、ロッド４に対して直角に配置されているバー７を受容している。
【００３５】
ワーブ８は、ロッド４に配設され、高さ及び向きを調整可能とされる。ワーブ８は、ネジ９によってロッド４をロックされている。
【００３６】
また、図１において、バー７がワーブ８に対して調整可能とされ、該バーがネジ１０等によってワーブに固定されていることに留意すべきである。
【００３７】
ガイド３は、２つの部分から構成されている。２つの部材とは、ガイドの高剛性であり且つ抵抗力を有する部分に対応する金属ストリップの形態をしたレール１１と、レールを覆っていると共に摩擦面としても機能する部分１２と、である。
【００３８】
この部分１２は、熱可塑性材料から作られており、例えば適切な押出成形手段によって得られる。
【００３９】
レール１１は、薄肉シートから作られており、慣性力を該レールに作用させる補強用リブ１３を備えている。
【００４０】
このリブ１３は、ガイド３をバー７の端部に固定するために利用されるネジ１４の頭を収容することができる。この配置によって、ガイド３のための滑らかな（without any asperities）スライド面を形成することができる。これにより、コンベアによって輸送される製品を汚す可能性があるゴミや塵等が溜まることを防止することができる。
【００４１】
図示しないヨークを介装することによって、ガイド３を固定することができる。同様に、ヨークも、自身の頭がリブ１３に埋設されているボルトによって慎重に固定されている。ガイド３をヨークと共に組み立てることによって、当該ガイドのホルダ２に対する取り付けに関して、調整可能性及びフレキシビリティを高めることができる。
【００４２】
ホルダ２に設けられた装置によって、さらに容易にガイド３をコンベアに対して位置決め可能になる。このホルダ２は、ロッド４と屈曲部６との間に、図３に表わす平坦部１５の形態をしたマーキングを備えている。
【００４３】
これら平坦部は、シリンドリカル状のロッド４の下方におけるホルダ２の断面が変化する位置で、言い換えればロッド４に対応する丸い部分が屈曲部６及び脚部５に対応する平坦な形態をした部分に切り替わる位置で、ホルダ２の両側に対称に配置されている。
【００４４】
ガイド３を水平に位置決めし且つ該ガイドを調整するために、作業者は、図示しない楔やピンゲージを利用することができる。この楔は、１つ又は複数の平坦部１５と連結手段との間に、本明細書では、該平坦部と図１及び図２に表わすワーブ８との間に挿置されている。
【００４５】
平坦部１５の高さは、例えばロッド４の上端に対して調整され、この上端部自体は、脚部５がコンベアの構造体１に固定されている位置から所定距離で離隔して位置決めされている。
【００４６】
図４は、ガイド３の横方向における位置を調整不要なコンベアの場合における、ホルダ２とガイド３とを連結する連結システムの代替的な実施例を表わす。このガイドの横方向における位置は、予め決められた定位置である。
【００４７】
ガイド３は、例えば熱可塑性材料から作られている一体部品の形態をしたスペーサ１７によって支持されている。
【００４８】
スペーサ１７は、図５に表わすように、ガイド３のレール１１に固定されているラグ１８と、ホルダ２のロッド４で滑動可能なスリーブ１９と、ラグとスリーブとの間に形成され、且つ、ラグ１８に対して直角に向いているアーム２０と、を備えている。
【００４９】
スリーブ１９には割りが入っており、ロッド４上におけるスリーブの位置を高さ及び向きについて調整可能とされる。
【００５０】
ラグ１８は、ガイド３と確実に連結可能な表面を備えている。この連結可能な表面は、レール１１のリブ１３を密接に当接するためにカップ２１の形態をしている。既に説明したように自身の頭がリブ１３に埋設されているボルト２２によって、当該ラグがレール１１に固定される。
【００５１】
図面に表わす２つの実施例では、ホルダ２のロッド４によって、ホルダ２とガイド３との間に配設された連結手段の高さを調整すること、及びワーブ８又はスペーサ１７に関して自在に方向合わせ可能な連結手段の角度方向を調整することが可能となることに留意すべきである。
【符号の説明】
【００５２】
１  コンベアの構造体
２  ホルダ
３  ガイド
４  ロッド
５  脚部
６  屈曲部
７  バー
８  ワーブ
９  ネジ
１０  ネジ
１１  レール
１２  部分
１３  リブ
１４  ネジ
１５  平坦部
１７  スペーサ
１８  ラグ
１９  スリーブ
２０  アーム
２１  カップ
【図１】
2010534173.tif 000003
【図２】
2010534173.tif 000004
【図３】
2010534173.tif 000005
【図４】
2010534173.tif 000006
【図５】
2010534173.tif 000007
【国際調査報告】
2010534173.tif 000008
2010534173.tif 000009
2010534173.tif 000010
2010534173.tif 000011
2010534173.tif 000012
2010534173.tif 000013